(57)【要約】【課題】  ドロップケーブルの収納に際して、作業に対する支障や鳥害を防ぎ、また、作業性の向上を可能にする光ケーブル用クロージャを提供する。【解決手段】  互いに対向して配置され、両方が吊線等に吊るされ、両方に光ケーブルが導入されると共に、少なくとも一方にドロップケーブルが導入される端面板１１Ａ、１１Ｂと、端面板１１Ａ、１１Ｂを含むように、これらの間を覆う横長形状であると共に、開閉可能な側面板１１Ｃ、１１Ｄとで形成される本体１１と、本体１１に設けられると共にドロップケーブル１１２の余長１１２Ａを収納する収納部１３Ａ、１３Ｂとを備える。【選択図】  図１
2010072202.tif 000002
【特許請求の範囲】
【請求項１】
互いに対向して配置され、両方が吊線等に吊るされ、両方に光ケーブルが導入されると共に、少なくとも一方にドロップケーブルが導入される端面部と、前記両方の端面部を含むように、これらの間を覆う横長形状であると共に、開閉可能なカバー部とで形成される本体部と、
前記本体部に設けられると共にドロップケーブルの余長を収納する収納部と、
を備えることを特徴とする光ケーブル用クロージャ。
【請求項２】
前記カバー部は、横長形状であり、長手方向に対して交差する方向に、かつ、両端に前記端面部が設けられている底板と、前記底板の長手方向の両端を軸として開閉する側面板とで形成される、
ことを特徴とする請求項１に記載の光ケーブル用クロージャ。
【請求項３】
前記収納部は、ドロップケーブルの余長を保持する保持具を前記カバー部の内側の側面に設けて形成される、
ことを特徴とする請求項１または２に記載の光ケーブル用クロージャ。
【請求項４】
前記収納部は、箱型に形成されて、前記カバー部の外側の底部に開閉可能に取り付けられている、
ことを特徴とする請求項１または２に記載の光ケーブル用クロージャ。
【請求項５】
前記収納部は、ドロップケーブルの余長が巻かれる巻付け具と、前記巻付け具を前記吊線に支持する支持具とを備え、前記収納部は、前記本体部の前後または下側に配置されている、
ことを特徴とする請求項１または２に記載の光ケーブル用クロージャ。
【発明の詳細な説明】
【技術分野】
【０００１】
この発明は、光通信用の光ケーブルからドロップケーブルを分岐する分岐点に設置される光ケーブル用クロージャに関する。
【背景技術】
【０００２】
光通信用の光ケーブルは、例えば局側から加入者宅までの通信網に用いられ、ＦＴＴＨ（Ｆｉｂｅｒ  Ｔｏ  Ｔｈｅ  Ｈｏｍｅ）を形成する。光ケーブルを加入者宅まで分岐する場合には、ドロップケーブルが用いられる。光ケーブルとドロップケーブルとを分岐するために、光ケーブル用クロージャが用いられる。光ケーブル用クロージャ内では、光ケーブル心線の接続、光ケーブル心線とドロップケーブルとの接続が行われる。そして、光ケーブル心線の余長を収納すると共に、ドロップケーブルの余長も収納する。例えば、吊線が電柱間に掛け渡されている場合、ドロップケーブルの余長は環状に巻かれて吊線に取り付けられる。（例えば、特許文献１参照。）
【０００３】
光ケーブル用クロージャに光ケーブル心線やドロップケーブルの余長を収納することにより、例えば自動車の流れの変化に伴って電柱などを移動する場合に、光ケーブル用クロージャの移動も必要になると、光ケーブル用クロージャの余長を利用することで、対応が可能になる。
【特許文献１】特開２００７−３３００１９号公報
【発明の開示】
【発明が解決しようとする課題】
【０００４】
ところで、ドロップケーブルの余長を吊線に取り付けると、次の課題が発生する。環状に巻かれているドロップケーブルの余長が、例えば電柱の近傍に取り付けられると、作業者が余長に接触したりして、作業者による電柱での作業や、作業者の昇降等に支障をきたす。また、環状に巻かれたドロップケーブルが露出しているために、環状の余長の内側に鳥が止まって、鳥害が発生するおそれもある。
【０００５】
また、図１５に示すように、吊線１０１に吊るされている、従来のクロージャ２００は、端面板２０１、２０２間に取り付けられているカバー２０３を、下側に形成されている継ぎ目２０４を開いて取り外す構造である。このために、従来のクロージャ２００は、継ぎ目２０４を固定しているネジを取り除いて、カバー２０３を外す作業を必要とし、作業性がよくない。なお、図１５では、符号１１１が光ケーブルであり、符号１１２がドロップケーブルである。
【０００６】
この発明の目的は、前記の課題を解決し、ドロップケーブルの収納に際して、作業に対する支障や鳥害を防ぎ、また、作業性の向上を可能にする光ケーブル用クロージャを提供することにある。
【課題を解決するための手段】
【０００７】
前記の課題を解決するために、請求項１の発明は、互いに対向して配置され、両方が吊線等に吊るされ、両方に光ケーブルが導入されると共に、少なくとも一方にドロップケーブルが導入される端面部と、前記両方の端面部を含むように、これらの間を覆う横長形状であると共に、開閉可能なカバー部とで形成される本体部と、前記本体部に設けられると共にドロップケーブルの余長を収納する収納部と、を備えることを特徴とする光ケーブル用クロージャである。
【０００８】
請求項１の発明では、端面部には、光ケーブルおよびドロップケーブルが導入される。カバー部は、各端面部を含むように、これらの間を覆う。端面部とカバー部とにより本体部が形成され、本体部には、ドロップケーブルの余長を収納する収納部が設けられている。
【０００９】
請求項２の発明は、請求項１に記載の光ケーブル用クロージャにおいて、前記カバー部は、横長形状であり、長手方向に対して交差する方向に、かつ、両端に前記端面部が設けられている底板と、前記底板の長手方向の両端を軸として開閉する側面板とで形成される、ことを特徴とする。
【００１０】
請求項３の発明は、請求項１または２に記載の光ケーブル用クロージャにおいて、前記収納部は、ドロップケーブルの余長を保持する保持具を前記カバー部の内側の側面に設けて形成される、ことを特徴とする。
【００１１】
請求項４の発明は、請求項１または２に記載の光ケーブル用クロージャにおいて、前記収納部は、箱型に形成されて、前記カバー部の外側の底部に開閉可能に取り付けられている、ことを特徴とする。
【００１２】
請求項５の発明は、請求項１または２に記載の光ケーブル用クロージャにおいて、前記収納部は、ドロップケーブルの余長が巻かれる巻付け具と、前記巻付け具を前記吊線に支持する支持具とを備え、前記収納部は、前記本体部の前後または下側に配置されている、ことを特徴とする。
【発明の効果】
【００１３】
請求項１の発明によれば、ドロップケーブルを収納する収納部を本体部に設けている。つまり、本体部の内側または外側に収納部を設けている。そして、この収納部にドロップケーブルの余長を収納する。これにより、従来のように環状に巻いた余長の露出を防いで、作業者の作業に際して余長が支障になることを防ぎ、また、鳥害を防ぐことができる。
【００１４】
請求項２の発明によれば、両端に端面部が設けられている底板に対して、長手方向の両端を軸として開閉する側面板が設けられているので、各側面板を作業用のトレー（受け皿）として利用可能にする。同時に、カバー部は両側の側面板が上側で開くので、作業を行いやすくして、作業性を向上させることができる。
【００１５】
請求項３の発明によれば、収納部がカバー部の内側側面に設けられているので、ドロップケーブルの余長を本体部の内側に収納することができる。これにより、従来のように環状に巻いた余長の露出を完全に防ぐことができる。
【００１６】
請求項４の発明によれば、収納部がカバー部の外側底面に設けられているので、任意長の余長が収納可能である。
【００１７】
請求項５の発明によれば、ドロップケーブルの余長が巻付け具に巻き付けられて収納されるので、余長の収納場所の変更が容易である。また、従来のように環状に巻かれて余長が露出される場合に比べて、鳥などが環状の内側に止まることを防ぎ、鳥害を確実に防ぐことができる。特に、収納部が本体部の下側に配置されたときには有効である。
【発明を実施するための最良の形態】
【００１８】
次に、この発明の実施の形態について、図面を用いて詳しく説明する。
【００１９】
（実施の形態１）
この実施の形態による光ケーブル用クロージャを図１に示す。図１の光ケーブル用クロージャ１は本体１１と吊り具１２とを備えている。
【００２０】
吊り具１２は、本体１１を吊線１０１に吊り下げる、Ｌ字状の金具である。吊り具１２は、本体１１の両端面に固定されている。この実施の形態では、吊り具１２は吊線１０１を挟む構造である。
【００２１】
本体１１は横長形状をした直方体である。本体１１には、光ケーブル１１１やドロップケーブル１１２が導入される。つまり、本体１１は光ケーブル１１１やドロップケーブル１１２の収納体である。本体１１の長手方向が吊線１０１に沿うように、本体１１は吊り具１２により吊線１０１に固定される。
【００２２】
本体１１は、端面板１１Ａ、１１Ｂと側面板１１Ｃ、１１Ｄと底板１１Ｅとによって、直方体状の収納体を形成する。この本体１１には、図２に示すように、トレイ１１Ｆの積層体が設置されている。トレイ１１Ｆは図３に示すように用いられる。例えば、光ケーブル１１１の心線１１１Ａを次の光ケーブル１１１の心線１１１Ａに接続する際に、心線１１１Ａに余長１１１Ａ１を形成する。トレイ１１Ｆは、心線１１１Ａの余長１１１Ａ１を収納するためのボックスである。また、本体１１では、光スプリッタ１２１を用いて、心線１１１Ａからドロップケーブル１１２を分岐する。ドロップケーブル１１２にも余長１１２Ａを設ける。なお、図３では、光ケーブル用クロージャ１に必要とする他の構造は省略している。
【００２３】
収納体の底板１１Ｅは、縦方向に比べて横方向が長い長方形状をしている。側面板１１Ｃ、１１Ｄは、断面がコ字状をしており、先の図２に示すように、長方形状の底板１１Ｅの長手方向に沿って、かつ、底板１１Ｅの両側に、開閉可能に取り付けられている。なお、図２では端面板１１Ａ、１１Ｂの記載を省略している。この実施の形態では、側面板１１Ｃ、１１Ｄと底板１１Ｅとの開閉構造は、図４に示すように、例えば側面板１１Ｄの両端部に段差１１Ｄ１を設けて凸部分１１Ｄ２を形成すると共に、底板１１Ｅの両端部に突起１１Ｅ１を設けて凹部分１１Ｅ２を形成する。そして、側面板１１Ｄの凸部分１１Ｄ２を、底板１１Ｅの凹部分１１Ｅ２に嵌め合わせ、底板１１Ｅの突起１１Ｅ１に形成された貫通孔１１Ｅ３と、側面板１１Ｄの凸部分１１Ｄ２に形成された貫通孔１１Ｄ３とに、ヒンジ棒１１Ｅ４を通す。これにより、底板１１Ｅに対して側面板１１Ｄを開閉可能に支持する開閉構造が形成される。側面板１１Ｃも同様である。こうして、図５に示すように、側面板１１Ｃ、１１Ｄが底板１１Ｅに取り付けられて、カバー１１１が形成される。なお、図５では、トレイ１１Ｆなどの記載を省略している。
【００２４】
端面板１１Ａ、１１Ｂには光ケーブル１１１やドロップケーブル１１２が導入される。このとき、端面板１１Ａ、１１Ｂに開けられた貫通孔１１Ａ１、１１Ｂ１、１１Ｂ２を通して、光ケーブル１１１やドロップケーブル１１２が導入される。光ケーブル１１１が通る貫通孔１１Ａ１、１１Ｂ１には、光ケーブル１１１用のゴム材（図示を省略）を介在して光ケーブル１１１を通す。また、ドロップケーブル１１２が通る貫通孔１１Ｂ２には、ドロップケーブル１１２用のゴム材（図示を省略）を介在して、ドロップケーブル１１２を通す。なお、ドロップケーブル１１２用のゴム材には、複数のドロップケーブル１１２を通すために、複数の貫通孔が設けられているものもある。
【００２５】
これらの端面板１１Ａ、１１Ｂ、側面板１１Ｃ、１１Ｄおよび底板１１Ｅにより、つまり、端面板１１Ａ、１１Ｂとカバー１１１とにより、本体１１が形成される。
【００２６】
カバー１１１の側面板１１Ｃ、１１Ｄには、図６に示すように、ドロップケーブル１１２の余長１１２Ａを収納する収納部１３Ａ、１３Ｂがそれぞれ形成されている。なお、この実施の形態では、側面板１１Ｃと側面板１１Ｄの両方に収納部１３Ａ、１３Ｂが形成されているが、一方だけでもよい。収納部１３Ａ、１３Ｂは、側面板１１Ｃ、１１Ｄの表面部分１１Ｃ１１、１１Ｄ１１と保持具１３Ａ１、１３Ｂ１とから成る。保持具１３Ａ１、１３Ｂ１は余長１１２Ａを保持するためのものである。
【００２７】
保持具１３Ａ１は、図７（ａ）に示すように、弾性体で作られた直方体の表面側に設けられた挿入空間１３Ａ１１と、挿入空間１３Ａ１１に連結すると共に余長１１２Ａを保持する保持空間１３Ａ１２とが設けられている。こうした構造により、挿入空間１３Ａ１１から保持空間１３Ａ１２に挿入された余長１１２Ａは、保持空間１３Ａ１２に収められて保持される。ドロップケーブル１１２の一部である余長１１２Ａは、図７（ｂ）に示すように、少なくとも１心の心線１１２Ａ１と、心線１１２Ａ１を外部環境から保護するシース１１２Ａ２とで主に形成されている。また、シース１１２Ａ２には、心線１１２Ａ１に張力が加わることを防ぐための、金属製等のテンションメンバ１１２Ａ３が配置されている。さらに、シース１１２Ａ２には、心線１１２Ａ１およびテンションメンバ１１２Ａ３を支持する、金属製の支持線１１２Ａ４が配置されている。
【００２８】
保持具１３Ｂ1は保持具１３Ａ1と同様である。
【００２９】
このように、ドロップケーブル１１２の余長１１２Ａが収納部１３Ａ、１３Ｂに収納される。この実施の形態では、余長１１２Ａの支持線１１２Ａ４が取り除かれ、余長１１２Ａの曲げ半径が小さくされている。これにより、収納部１３Ａ、１３Ｂへの余長１１２Ａの収納が容易になる。
【００３０】
カバー１１１の上部には接合部１１Ｇが設けられている。接合部１１Ｇは、カバー１１１の側面板１１Ｃ、１１Ｄが閉じられ、側面板１１Ｃ、１１Ｄの端部が突き合わされたときに、側面板１１Ｃ、１１Ｄの継ぎ目を防水するための防水構造である。接合部１１Ｇは、図８（ａ）に示すように、立上げ部１１Ｇ１、１１Ｇ２と、カバー部１１Ｇ３とで構成されている。立上げ部１１Ｇ１、１１Ｇ２は、側面板１１Ｃ、１１Ｄの先端がＬ字状に折り曲げられ、かつ、側面板１１Ｃ、１１Ｄの長手方向に形成されている。側面板１１Ｃ、１１Ｄが閉じられたとき、立上げ部１１Ｇ１、１１Ｇ２は、互いに向かい合って、継ぎ目を形成する。立上げ部１１Ｇ１、１１Ｇ２の外側つまり側面板１１Ｃ、１１Ｄ側には、半円形の溝１１Ｇ１１、１１Ｇ２１が設けられている。
【００３１】
接合部１１Ｇのカバー部１１Ｇ３は、側面板１１Ｃ、１１Ｄが閉じられたときの立上げ部１１Ｇ１と立上げ部１１Ｇ２の両方を密着して覆うように、コ字状の形状をしている。カバー部１１Ｇ３の互いに向かい合う内壁面には、立上げ部１１Ｇ１、１１Ｇ２の溝１１Ｇ１１、１１Ｇ２１と嵌合する、半円形の突起１１Ｇ３１、１１Ｇ３２が設けられている。そして、カバー部１１Ｇ３が、立上げ部１１Ｇ１、１１Ｇ２を覆ったときに、カバー部１１Ｇ３の突起１１Ｇ３１、１１Ｇ３２が、立上げ部１１Ｇ１、１１Ｇ２の溝１１Ｇ１１、１１Ｇ２１と嵌合し、カバー部１１Ｇ３は、立上げ部１１Ｇ１、１１Ｇ２を閉じた状態で固定し、かつ、側面板１１Ｃ、１１Ｄの継ぎ目を覆って、カバー１１1の内部に雨水等が浸入することを防ぐ。こうした構造は、被せ式の防水構造である。
【００３２】
また、カバー１１1の接合部１１Ｇの代わりとして、図８（ｂ）に示す接合部１１Ｈがある。接合部１１Ｈは、第１の折曲げ部１１Ｈ１と、第２の折曲げ部１１Ｈ２とで構成されている。第２の折曲げ部１１Ｈ２は、側面板１１Ｄの先端が略９０度に二回折り曲げられ、かつ、側面板１１Ｄの長手方向に形成されている。第１の折曲げ部１１Ｈ１は、第２の折曲げ部１１Ｈ２を包むように、側面板１１Ｃの先端が略９０度に三回折り曲げられて形成されている。そして、側面板１１Ｃと側面板１１Ｄとが閉じられると、第１の折曲げ部１１Ｈ１が第２の折曲げ部１１Ｈ２と嵌め合う。これにより、側面板１１Ｄに側面板１１Ｃが固定され、かつ、第１の折曲げ部１１Ｈ１が側面板１１Ｃ、１１Ｄの継ぎ目を覆って、雨水等が浸入することを防ぐ。こうした構造は、嵌め込み式の防水構造である。
【００３３】
こうした構造の光ケーブル用クロージャ１にドロップケーブル１１２の余長１１２Ａを収納する場合、作業者は接合部１１Ｇからカバー部１１Ｇ３を外し、側面板１１Ｃと側面板１１Ｄとを開く。この状態で、作業者は、ドロップケーブル１１２を光ケーブル心線に接続する。このとき、作業者は、作業に使う工具や部品などを側面板１１Ｃ、１１Ｄの表面部分１１Ｃ１１、１１Ｄ１１に置いて、作業を行う。つまり、側面板１１Ｃ、１１Ｄを作業用のトレー（受け皿）として使用する。この後、作業者は、収納部１３Ａ、１３Ｂの保持具１３Ａ1、１３Ｂ1にドロップケーブル１１２の余長１１２Ａを挿入して、余長１１２Ａを収納部１３Ａ、１３Ｂに収納する。なお、ドロップケーブル１１２は顧客宅に導かれる。
【００３４】
すべての作業が終了すると、作業者は、側面板１１Ｃと側面板１１Ｄとを閉じ、接合部１１Ｇにカバー部１１Ｇ３を取り付けて、本体１１を密閉する。
【００３５】
この実施の形態によれば、ドロップケーブル１１２の余長１１２Ａが本体１１の内部に収納されるので、従来の収納、つまり、環状に巻かれた余長１１２Ａがむき出しで吊線１０１に取り付けられる収納に比べて、余長１１２Ａが作業者の支障になることを防ぐことができる。また、この実施の形態によれば、余長１１２Ａに鳥が止まって鳥害が発生することを防ぐことができる。また、この実施の形態によれば、側面板１１Ｃ、１１Ｄを作業用のトレーとして使うことができるので、側面板１１Ｃ、１１Ｄの有効活用を可能にする。さらに、この実施の形態により、本体１１のカバー１１1が上部で開くので、カバー１１1を外す作業を不要にし、作業性の向上を可能にする。
【００３６】
（実施の形態２）
実施の形態１では、ドロップケーブル１１２の余長１１２Ａを、本体１１のカバー１１1内に設けたが、この実施の形態では余長１１２Ａの収納を次のようにしている。この実施の形態による光ケーブル用クロージャを図９および図１０に示す。なお、この実施の形態では、先に説明した実施の形態１と同一もしくは同一と見なされる構成要素には、それと同じ参照符号を付けて、その説明を省略する。図９および図１０に示す光ケーブル用クロージャ２は、実施の形態１の収納部１３Ａおよび収納部１３Ｂの代わりに収納部１４を備えている。
【００３７】
収納部１４は箱型をした余長１１２Ａの収納具であり、端面板１４Ａ、１４Ｂと側面板１４Ｃ、１４Ｄと底板１４Ｅが直方体状の収納部１４を形成する。収納部１４は、カバー１１1の底板１１Ｅの外側に、開閉可能に取り付けられている。この様子を図１１に示す。収納部１４は、蝶番のような複数の開閉具１４Ｆにより、本体１１の底板１１Ｅの外側に取り付けられている。側面板１４Ｃには、半円柱状の突起１４Ｃ１が形成されている。また、底板１１Ｅには、突起１４Ｃ１と対向するように、直方体状のロック材１４Ｇが設けられている。突起１４Ｃ１と対向するロック材１４Ｇの表面には、半円柱状の溝１４Ｇ１が形成されている。そして、収納部１４が閉じられたとき、側面板１４Ｃの突起１４Ｃ１がロック材１４Ｇの溝１４Ｇ１と嵌め合うことにより、自重や風などによる振動等で、収納部１４が開くことを防止している。
【００３８】
こうした光ケーブル用クロージャ２にドロップケーブル１１２の余長１１２Ａを収納する場合、図９および図１０に示す例では、本体１１の端面板１１Ｂから一度、余長１１２Ａを引き出し、余長１１２Ａを環状に巻いて、底板１１Ｅから開かれた収納部１４内に収納する。この後、余長１１２Ａを収納部１４から出して、再度、端面板１１Ａから本体１１に通す。そして、余長１１２Ａを再び端面板１１Ｂから出して、顧客宅に導く。これにより、余長１１２Ａが本体１１に固定されると共に、底板１１Ｅに閉じられた収納部１４に収納される。
【００３９】
この実施の形態によれば、本体１１とは別の収納部１４にドロップケーブル１１２の余長１１２Ａを収納するので、任意長の余長１１２Ａに対して収納スペースを確保することが可能である。また、この実施の形態によれば、実施の形態１と同様に、余長１１２Ａが作業者の支障になることを防ぎ、鳥害が発生することを防ぐことができる。さらに、本体１１のカバー１１1が上部で開くので、側面板１１Ｃ、１１Ｄの有効活用を可能にし、カバー１１1を外す作業を不要にし、作業性の向上を可能にする。
【００４０】
（実施の形態３）
この実施の形態では、ドロップケーブル１１２の余長１１２Ａの収納を次のようにしている。この実施の形態による光ケーブル用クロージャを図１２に示す。なお、この実施の形態では、先に説明した実施の形態１と同一もしくは同一と見なされる構成要素には、それと同じ参照符号を付けて、その説明を省略する。図１２の光ケーブル用クロージャ３は、実施の形態１の収納部１３Ａ、１３Ｂや実施の形態２の収納部１４の代わりに、ドロップケーブル１１２の余長１１２Ａを収納する巻付け部１５を備えている。
【００４１】
巻付け部１５は、巻付け具１５Ａと支持具１５Ｂとを備えている。また、巻付け具１５Ａには回転ロック機構が着いている。巻付け具１５Ａは外周面に半円形の溝が設けられ、この溝にドロップケーブル１１２の余長１１２Ａが巻かれる。巻付け具１５Ａの円形をした側面の中心には、軸１５Ａ１が貫通している。軸１５Ａ１の一端にはフランジが設けられ、他端は支持具１５Ｂに固定されている。これにより、巻付け具１５Ａは、軸１５Ａ１に回転可能に支持され、かつ、軸１５Ａ１から抜け落ちることがない。
【００４２】
支持具１５Ｂは、Ｌ字状に折り曲げられ、Ｌ字の一方は、留め板１５Ｂ１により、吊線１０１に固定される。なお、留め板１５Ｂ１はネジ等で支持具１５Ｂに取り付けられる。支持具１５ＢのＬ字の他方は、略三角形状に形成されている。そして、略三角形状の先端部分には、巻付け具１５Ａの軸１５Ａ１が固定されている。
【００４３】
こうした光ケーブル用クロージャ３にドロップケーブル１１２の余長１１２Ａを収納する場合、本体１１の下側の、任意の位置に巻付け部１５を配置する。この後、図１２に示す例では、本体１１の端面板１１Ｂから一度、余長１１２Ａを引き出し、余長１１２Ａを巻付け具１５Ａに巻き付けて、余長１１２Ａを巻付け部１５に収納する。この後、余長１１２Ａを、再度、端面板１１Ａから本体１１に通す。そして、余長１１２Ａを再び端面板１１Ｂから出して、顧客宅に導く。これにより、余長１１２Ａが本体１１に固定されると共に巻付け部１５に収納される。
【００４４】
なお、図１３に示すように、ドロップケーブル１１２の余長１１２Ａを巻付け具１５Ａに巻きつけ、巻付け具１５Ａからドロップケーブル１１２を直接引き出すようにしてもよい。
【００４５】
この実施の形態によれば、ドロップケーブル１１２を巻付け部１５に巻き付けて収納するので、従来の収納、つまり、環状に巻かれた余長１１２Ａがむき出しで吊線１０１に取り付けられる収納に比べて、鳥などが環状の内部に止まることを防ぎ、鳥害が発生することを防ぐことができる。また、この実施の形態によれば、実施の形態１と同様に、余長１１２Ａが作業者の支障になることを防ぐことができる。さらに、本体１１のカバー１１1が上部で開くので、側面板１１Ｃ、１１Ｄの有効活用を可能にし、カバー１１1を外す作業を不要にし、作業性の向上を可能にする。
【００４６】
なお、この実施の形態では、巻付け部１５を本体１１の下側に設置したが、巻付け部１５の設置位置はこれに限定されることはない。例えば、本体１１の端面板１１Ａの前方位置や、本体１１の端面板１１Ｂの後方位置に設置してもよい。
【００４７】
（実施の形態４）
この実施の形態では、巻付け具１５Ａの支持を次のようにしている。この実施の形態による光ケーブル用クロージャを図１４に示す。なお、この実施の形態では、先に説明した実施の形態１と同一もしくは同一と見なされる構成要素には、それと同じ参照符号を付けて、その説明を省略する。図１４の光ケーブル用クロージャ４は、実施の形態３の支持具１５Ｂの代わりに、支持具１５Ｃを用いる。支持具１５Ｃは、Ｌ字状に折り曲げられて、Ｌ字の一方は、本体１１の底板１１Ｅに固定されている。Ｌ字の他方は、実施の形態３と同じように、略三角形状に形成され、先端部分には巻付け具１５Ａの軸１５Ａ１が固定されている。
【００４８】
この実施の形態によれば、支持具１５Ｃが本体１１に固定されているので、吊線１０１に対する支持具１５Ｃの取り付けを不要にし、現場での作業数を減らすことができる。
【００４９】
以上、この発明の実施の形態を詳述してきたが、具体的な構成はこの実施の形態に限られるものではなく、この発明の要旨を逸脱しない範囲の設計の変更等があっても、この発明に含まれる。例えば、実施の形態３の巻付け部１５を単体で用いることも可能である。
【図面の簡単な説明】
【００５０】
【図１】実施の形態１による光ケーブル用クロージャを示す斜視図である。
【図２】本体内部の様子を示す斜視図である。
【図３】光ケーブルの心線の接続とドロップケーブルとを説明する説明図である。
【図４】本体の開閉構造を示す斜視図である。
【図５】カバーを示す斜視図である。
【図６】カバーの収納部を示す斜視図である。
【図７】余長の保持を説明する図であり、図７（ａ）は余長を保持する保持具を示す正面図、図７（ｂ）はドロップケーブルの断面を示す断面図である。
【図８】接合部を説明する図であり、図８（ａ）は、被せ式防水構造を示す斜視図、図８（ｂ）は、嵌め込み式防水構造を示す斜視図である。
【図９】実施の形態２による光ケーブル用クロージャを示す斜視図である。
【図１０】実施の形態２による光ケーブル用クロージャを示す正面図である。
【図１１】収納部の取り付けの様子を示す部分断面図である。
【図１２】実施の形態３による光ケーブル用クロージャを示す斜視図である。
【図１３】ドロップケーブルの別の引き出し方を説明する正面図である。
【図１４】実施の形態４による光ケーブル用クロージャを示す斜視図である。
【図１５】従来のクロージャを示す斜視図である。
【符号の説明】
【００５１】
１  光ケーブル用クロージャ
１１  本体（本体部）
１１１  カバー（カバー部）
１１Ａ、１１Ｂ  端面板（端面部）
１１Ｃ、１１Ｄ  側面板
１１Ｅ  底板
１２  吊り具
１３Ａ、１３Ｂ  収納部
【図１】
2010072202.tif 000003
【図２】
2010072202.tif 000004
【図３】
2010072202.tif 000005
【図４】
2010072202.tif 000006
【図５】
2010072202.tif 000007
【図６】
2010072202.tif 000008
【図７】
2010072202.tif 000009
【図８】
2010072202.tif 000010
【図９】
2010072202.tif 000011
【図１０】
2010072202.tif 000012
【図１１】
2010072202.tif 000013
【図１２】
2010072202.tif 000014
【図１３】
2010072202.tif 000015
【図１４】
2010072202.tif 000016
【図１５】
2010072202.tif 000017